(57)【特許請求の範囲】
【請求項１】
床の開口を形成する所定の縁部に基端部が取り付けられ、該縁部に沿う回動中心周りで先端部が回動の先端として回動することで前記開口を開閉するように形成された蓋と、該蓋の裏面側に配置され且つ蓋の開閉動作を補助するバランサと、蓋の裏面側において、該蓋の基端部から先端部の方向に沿って延びるレールと、該レールに載置され且つ該レールの長手方向に沿って移動するローラーと、該ローラーを前記蓋の裏面に取り付ける取付リンクと、前記ローラーと前記バランサとに連結される保持リンクと、前記ローラーと前記バランサとの間で該保持リンクに連結されるとともに、前記縁部に連結されるアームリンクとを備える開閉構造。
【請求項２】
前記蓋の裏面に連結される接続リンクと、該接続リンクと縁部とに連結される中間リンクとを備え、前記蓋は、前記縁部に回転可能に取り付けられる基端部と、前記開口の中央部側に配置される先端部とを有し、前記接続リンクは、前記蓋の先端部側に連結され、前記取付リンクは、前記中間リンクにおける縁部との連結位置と接続リンクとの連結位置との間に連結される請求項１に記載の開閉構造。
【請求項３】
前記接続リンクは、前記蓋が前記開口を閉じている状態で前記蓋との連結位置が前記中間リンクとの連結位置よりも上方に配置される請求項２に記載の開閉構造。
【発明の詳細な説明】
【技術分野】
【０００１】
本発明は、床に形成された開口を開閉するための開閉構造に関する。
【背景技術】
【０００２】
従来から、例えば、工場や倉庫等の建造物の床には、床下のスペースに設置されている設備の点検や保守のため、或いは、床下のスペースに対する物資の搬入や搬出等を行うための開口が形成されることがある。
【０００３】
そして、かかる床には、前記開口を開閉するための開閉構造として、床開口閉塞装置が設置されており、平常時においては該床開口閉塞装置で前記開口を閉じておき、必要に応じて前記開口を開いている。
【０００４】
床開口閉塞装置は、前記開口を開閉する蓋体と、該蓋体の裏面側に連結されるウェイトアームと、該ウェイトアームに吊設されるバランスウェイトとを備えている。
【０００５】
蓋体は、開口を画定する所定の固定辺に沿わせて固定ヒンジで固定された固定辺を有する固定蓋板と、該固定蓋板に連結される開口蓋板とを有する。
【０００６】
固定蓋板は、固定辺に対向し且つ固定辺と同方向に延びる連結辺を有する。
【０００７】
開口蓋板は、連結辺に沿って延び且つ連結辺に対してヒンジを介して回動可能に連結される折れ辺を有する。これにより、開口蓋板は、折れ辺を境として固定蓋板に対して山折れ可能となっている。
【０００８】
ウェイトアームは、基端部が固定蓋板の固定辺側の裏面にヒンジ固定される第一ウェイトアームと、基端部が開口蓋板の裏面にヒンジ固定された第二ウェイトアームとを備えている。第一ウェイトアームの先端部と第二ウェイトアームの先端部とは、互いにヒンジ連結されており、第一ウェイトアームと第二ウェイトアームとの連結部分にはバランスウェイトが吊設されている。
【０００９】
上記従来の床開口閉塞装置にあっては、閉状態から開状態へ移行する際には、前記固定蓋板が、固定ヒンジを回動中心に起立回動し、開口蓋板が固定蓋板に対して折れ辺を境として山折れする。
【００１０】
そして、ウェイトアームは、前記山折れに従って、第一ウェイトアームが基端部のヒンジ連結部を中心に先端部が下方側に向かって回動し、第二ウェイトアームが第一ウェイトアームに対して該第一ウェイトアームとの連結部分を境として谷折れする。このように、床開口閉塞装置では、蓋体が山折れし、ウェイトアームが谷折れすることで、開状態となる。
【先行技術文献】
【特許文献】
【００１１】
【特許文献１】特開２００９−１３３１６６号公報
【発明の概要】
【発明が解決しようとする課題】
【００１２】
ところで、上記従来の床開口閉塞装置にあっては、バランスウェイトがウェイトアームの谷折れの動きに伴って移動する。
【００１３】
より具体的に説明すると、バランスウェイトは、第一ウェイトアームと第二ウェイトアームとの先端部に吊設されているため、第一ウェイトアームの基端部を中心として第一のアーム長さを半径とする先端部の円弧状の回動軌跡と略同じ軌跡で移動する。
【００１４】
そのため、前記床開口閉塞装置では、バランスウェイトの前記円弧状の回動軌跡を確保するために、床下のスペースを大きく空けておく必要があり、床下で実際に使用できるスペースが制限されていた。
【００１５】
そこで、本発明は、斯かる実情に鑑み、床下のスペースを有効活用できる開閉構造を提供することを課題とする。
【課題を解決するための手段】
【００１６】
本発明の開閉構造は、床の開口を形成する所定の縁部に基端部が取り付けられ、該縁部に沿う回動中心周りで先端部が回動の先端として回動することで前記開口を開閉するように形成された蓋と、該蓋の裏面側に配置され且つ蓋の開閉動作を補助するバランサと、蓋の裏面側において、該蓋の基端部から先端部の方向に沿って延びるレールと、該レールに載置され且つ該レールの長手方向に沿って移動するローラーと、該ローラーを前記蓋の裏面に取り付ける取付リンクと、前記ローラーと前記バランサとに連結される保持リンクと、前記ローラーと前記バランサとの間で該保持リンクに連結されるとともに、前記縁部に連結されるアームリンクとを備える。
【００１７】
上記構成の開閉構造によれば、閉じた状態の蓋を開く場合、該蓋によって取付リンクが蓋の基端部側に引っ張られる。これに伴い、ローラーが蓋の先端部側から基端部側に向かってレール上を移動する。
【００１８】
そして、上記構成の開閉構造では、ローラーとバランサとが保持リンクで連結されるため、ローラーの前記移動に伴い、保持リンクのローラーに連結されている部分が蓋の先端側から基端側へ移動する。
【００１９】
ここで、アームリンクは、ローラーとバランサとの間において保持リンクに連結されるため、保持リンクのローラーとの連結部分の前記移動に伴い、縁部に連結されている部分を中心として保持リンクに連結されている部分が蓋から離れる方向に回動する。
【００２０】
このように、本発明の開閉構造によれば、蓋を開く回動動作に伴って、保持リンクが、レールに沿って蓋の基端部側へ移動しながらローラーとの連結部分を中心として蓋からバランサが離れる方向に回動する。
【００２１】
開いた状態の蓋を閉じる場合、該蓋によって取付リンクが蓋の先端部の方に向けて押される。これに伴い、ローラーが蓋の基端部側から先端部側へレール上を移動し、保持リンクのローラーとの連結部分が蓋の基端部側から蓋の先端部側へ移動する。
【００２２】
ここで、アームリンクは、上述のように、ローラーとバランサとの間において保持リンクに連結されるため、保持リンクのローラーとの連結部分の前記移動に伴い、縁部に連結している部分を中心として保持リンクに連結されている部分が蓋に接近する方向に回動する。
【００２３】
このように、本発明の蓋構造によれば、蓋の開口を閉じる回動動作に伴って保持リンクがレールに沿って蓋の先端部側へ移動しながらローラーとの連結部分を中心として蓋にバランサが接近する方向に回動する。
【００２４】
従って、上記構成の開閉構造では、蓋の開閉動作に伴って、バランサが実質的に蓋の基端部側で蓋に対して接近離間するため、床下のスペースの先端部側を使用することができる。
【００２５】
本発明の開閉構造において、前記蓋の裏面に連結される接続リンクと、該接続リンクと縁部とに連結される中間リンクとを備え、前記蓋は、前記縁部に回転可能に取り付けられる基端部と、前記開口の中央部側に配置される先端部とを有し、前記接続リンクは、前記蓋の先端部側に連結され、前記取付リンクは、前記中間リンクにおける縁部との連結位置と接続リンクとの連結位置との間に連結されていてもよい。
【００２６】
かかる構成によれば、蓋の開閉動作中に保持リンク及び取付リンクを介して使用するバランサの負荷を中間リンクと接続リンクとで受けることができる。従って、前記開閉構造では、バランサの重みによって蓋に対して開方向に作用する外力が抑えられ、これにより、蓋の縁部への連結部分に生じる負荷が抑えられる。
【００２７】
さらに、本発明の開閉構造において、前記接続リンクは、前記蓋が前記開口を閉じている状態で前記蓋との連結位置が前記中間リンクとの連結位置よりも上方に配置されていてもよい。
【００２８】
かかる構成によれば、蓋が開口を閉じている状態において、接続リンクの蓋との連結位置が中間リンクとの連結位置よりも上方に配置されるため、閉状態の蓋を開き始める際に接続リンクが起き上がり易くなる。従って、上記構成の開閉構造では、蓋の開動作を円滑に行うことができるようになる。
【発明の効果】
【００２９】
以上のように、本発明の開閉構造によれば、床下のスペースを有効活用できるという優れた効果を奏し得る。
【図面の簡単な説明】
【００３０】
【図１】図１は、本発明の一実施形態に係る開閉構造の平面図である。
【図２】図２は、同実施形態に係る開閉構造の受枠の平面図である。
【図３】図３は、同実施形態に係る開閉構造の断面図であって、図１のＩＩＩ−ＩＩＩ線での断面図である。
【図４】図４は、同実施形態に係る開閉構造の断面図であって、図１のＩＶ−ＩＶ線での断面図である。
【図５】図５は、同実施形態に係る開閉構造の拡大図であって、図３の領域Ａの拡大図である。
【図６】図６は、同実施形態に係る開閉構造の拡大図であって、図４の領域Ｂの拡大図である。
【図７】図７は、同実施形態に係る開閉構造の動作説明図であって、蓋を途中まで開いた状態の動作説明図である。
【図８】図８は、同実施形態に係る開閉構造の拡大斜視図であって、蓋を開いている状態の斜視図である。
【図９】図９は、同実施形態に係る開閉構造の動作説明図であって、蓋を完全に開いた状態の動作説明図である。
【図１０】図１０は、本発明の別の実施形態に係る開閉構造の拡大斜視図である。
【発明を実施するための形態】
【００３１】
以下、本発明の一実施形態にかかる開閉構造について、添付図面を参照しつつ説明する。本実施形態に係る開閉構造は、例えば、躯体（本実施形態では建造物の床）に形成された開口に設置されるものであり、床下のスペースに設置されている設備の点検や保守のため、或いは、床下のスペースに対する物資の搬入や搬出等を行う際に開口を開閉するように構成されている。
【００３２】
なお、本実施形態では、図３に示すように、床下のスペースに連通する連通開口Ｈ１と、連通開口Ｈ１周りから外方に広がる設置用凹部Ｈ２とで開口が構成されていることを前提とし、床のうちの連通開口Ｈ１を画定する各面を開口壁面Ｗ１、設置用凹部Ｈ２の外縁を画定する各面を外縁壁面Ｗ２、開口壁面Ｗ１と外縁壁面Ｗ２との間に広がる面（開口周りに広がる面）を設置面Ｗ３として以下の説明を行う。
【００３３】
開閉構造１は、図１及び図９に示すように、床の開口周りに沿わせて配置する受枠２と、該受枠２に回転可能に取り付けられ且つ該開口を開閉する蓋３と、前記受枠２内に配置される直線状のレール４と、該レール４に載置され且つ該レール４の長手方向に沿って移動するローラー５と、該ローラー５と蓋３の裏面側とにつながる蓋側リンク機構６と、該蓋３の開閉動作を補助するバランサ７と、ローラー５とバランサ７とにつながるバランサ側リンク機構８とを備えている。
【００３４】
受枠２は、例えば、矩形や、方形状の枠である。受枠２は、図２に示すように、枠状の受枠本体２０と、該受枠本体２０と蓋３との間の隙間を塞ぐ封止構造２１と、受枠本体２０周りで水を排出するための排水構造２２とを有する。
【００３５】
受枠本体２０は、設置用凹部Ｈ２内に固定されるアウターフレーム２３と、該アウターフレーム２３を設置用凹部Ｈ２内に固定するためのアンカー２４と、前記アウターフレーム２３内に接合されて連通開口Ｈ１に対応する領域内に配置されるインナーフレーム２５とを有する。
【００３６】
アウターフレーム２３と外縁壁面Ｗ２及び設置面Ｗ３との間には、モルタル等の硬化性資材を充填して硬化させた基礎部が構成されている。
【００３７】
そして、本実施形態に係るアウターフレーム２３は、蓋３の基端部３Ａに対応して配置される基点側外辺部２３０と、レール４に対応して配置されるガイド側外辺部２３１とを有する。
【００３８】
基点側外辺部２３０は、長尺に形成されており、外縁壁面Ｗ２に沿って延びるように配置されている。また、基点側外辺部２３０は、図５に示すように、長尺であり且つ設置面Ｗ３と平行又は略平行な状態で配置される基点側底部２３０ａと、該基点側底部２３０ａから起立する一対の基点側壁部２３０ｂとを有する。
【００３９】
各基点側壁部２３０ｂは、基点側外辺部２３０の長手方向に沿って長尺に形成されており、互いの間に間隔をあけて対向している。そのため、基点側外辺部２３０は、基点側底部２３０ａと各基点側壁部２３０ｂとによって上方に向けて開放した溝を画定している。
【００４０】
ガイド側外辺部２３１は、長尺に形成されており（図２参照）、外縁壁面Ｗ２（基点側外辺部２３０を沿わせている外縁壁面Ｗ２とは別の外縁壁面Ｗ２）に沿って延びるように配置されている。
【００４１】
本実施形態に係るガイド側外辺部２３１は、図６に示すように、長尺であり且つ設置面Ｗ３と平行又は略平行な状態で配置されるガイド側底部２３１ａと、該基点側底部２３０ａから起立する一対のガイド側壁部２３１ｂとを有する。
【００４２】
各ガイド側壁部２３１ｂは、ガイド側外辺部２３１の長手方向に沿って長尺に形成されており、互いの間に間隔をあけて対向している。そのため、ガイド側外辺部２３１は、ガイド側底部２３１ａと各ガイド側壁部２３１ｂとによって上方に向けて開放した溝を画定している。
【００４３】
なお、本実施形態に係るアウターフレーム２３は、図２に示すように、互いに平行となるように配置された一対の基点側外辺部２３０と、各基点側外辺部２３０に連続するとともに互いに平行となるように配置された一対のガイド側外辺部２３１とによって角環状の枠を構成している。
【００４４】
また、本実施形態に係るアウターフレーム２３では、各ガイド側外辺部２３１が構成する溝と、各基点側外辺部２３０が構成する溝とが互いに連続することで一つの環状の溝を構成している。
【００４５】
本実施形態のアンカー２４には、基点側外辺部２３０に接続されている複数の基点側アンカー２４０と、ガイド側外辺部２３１に接続されている複数のガイド側アンカー２４１とが含まれている。
【００４６】
基点側アンカー２４０は、基点側外辺部２３０の長手方向で間隔をあけて並んでいる。本実施形態の基点側アンカー２４０は、図５に示すように、基点側底部２３０ａに連設される固定辺２４０ａと、該固定辺２４０ａから基点側外辺部２３０の外側に延出する延出辺２４０ｂとを有する。延出辺２４０ｂは、固定辺２４０ａに対して傾斜するように形成されている。
【００４７】
ガイド側アンカー２４１は、ガイド側外辺部２３１の長手方向で間隔をあけて並んでいる。また、本実施形態のガイド側アンカー２４１は、図６に示すように、ガイド側底部２３１ａに連設される固定辺２４１ａと、該固定辺２４０ａからガイド側外辺部２３１の外側に延出する延出辺２４１ｂとを有する。延出辺２４１ｂは、固定辺２４１ａに対して傾斜するように形成されている。
【００４８】
インナーフレーム２５は、図２に示すように、基点側外辺部２３０に接合される基点側内辺部２５０と、ガイド側外辺部２３１に接合されるガイド側内辺部２５１とを有する。
【００４９】
基点側内辺部２５０は、図５に示すように、基点側壁部２３０ｂ（連通開口Ｈ１側の基点側壁部２３０ｂ）に接合されて連通開口Ｈ１と対応する領域内に配置される基点側内壁部２５０ａと、該基点側内壁部２５０ａに連続するとともに、バランサ側リンク機構８を取付可能に構成される基点側取付部２５０ｂと、該基点側取付部２５０ｂを補強するための基点側補強部２５０ｃとを有する。
【００５０】
基点側内壁部２５０ａは、基点側壁部２３０ｂの長手方向に対応する方向に沿って延びている。
【００５１】
基点側取付部２５０ｂは、基点側内壁部２５０ａと一体的に形成されている。より具体的に説明すると、基点側取付部２５０ｂは、基点側内壁部２５０ａの下端から垂下する取付壁部２５０ｄと、該取付壁部２５０ｄから延出する台部２５０ｅとを有する。
【００５２】
取付壁部２５０ｄと台部２５０ｅとは、互いに直交している。そして、台部２５０ｅは、取付壁部２５０ｄの下端から連通開口Ｈ１の中央部側に向かって真っ直ぐに延出している。
【００５３】
なお、基点側取付部２５０ｂには、バランサ側リンク機構８を取り付けるためのリンク用連結部ＣＡが設けられている。
【００５４】
リンク用連結部ＣＡは、基点側取付部２５０ｂの長手方向で間隔をあけて並ぶ一対の連結片部ＣＡ１を有する（図２参照）。一対の連結片部ＣＡ１は、平板状の部材を屈曲させたもので構成されており、屈曲位置を境とする一方側の部分が基点側取付部２５０ｂに接合されている。また、一対の連結片部ＣＡ１は、屈曲位置を境とする他方側の部分が互いに対向しており、基点側取付部２５０ｂの長手方向で対応する位置に貫通孔が形成されている。
【００５５】
また、基点側取付部２５０ｂには、バランサ側リンク機構８の浮き上がりを防止するためのストッパーＳがリンク用連結部ＣＡを介して接続されている（図２参照）。ストッパーＳは、一対の連結片部ＣＡ１のうちの外側の連結片部ＣＡ１に設けられている。すなわち、ストッパーＳは、外側の連結片部ＣＡ１とガイド側外辺部２３１との間に配置されている。
【００５６】
基点側補強部２５０ｃは、台部２５０ｅの先端から垂下しており、基点側壁部２３０ｂの長手方向に対応する方向に沿って長尺に形成されている。
【００５７】
ガイド側内辺部２５１は、図６に示すように、ガイド側壁部２３１ｂ（連通開口Ｈ１側のガイド側壁部２３１ｂ）の内側に接続されるガイド側内壁部２５１ａと、該ガイド側内壁部２５１ａに連続し且つ連通開口Ｈ１を閉じた状態の蓋３を受ける蓋受部２５１ｂと、該蓋受部２５１ｂに連続し且つ連通開口Ｈ１と対応する位置に配置される連設壁部２５１ｃと、該連設壁部２５１ｃに連続するとともに、レール４が設置されるレール用取付部２５１ｄと、該レール用取付部２５１ｄを補強するためのガイド側補強部２５１ｅとを有する。
【００５８】
ガイド側内壁部２５１ａは、ガイド側壁部２３１ｂの長手方向に対応する方向に沿って長尺に形成されている。
【００５９】
蓋受部２５１ｂは、ガイド側内壁部２５１ａの下端から連通開口Ｈ１の中央部側に向かって延出しており、ガイド側内壁部２５１ａに対して直交している。また、蓋受部２５１ｂの基端部側は設置用凹部Ｈ２内に配置されており、蓋受部２５１ｂの先端部側は連通開口Ｈ１内に進出している。
【００６０】
連設壁部２５１ｃは、蓋受部２５１ｂの先端から垂下している。また、連設壁部２５１ｃは、ガイド側壁部２３１ｂの長手方向に対応する方向に沿って長尺に形成されている。
【００６１】
レール用取付部２５１ｄは、連設壁部２５１ｃの下端から連通開口Ｈ１の中央部側に向かって延出しており、連設壁部２５１ｃに対して直交している。また、レール用取付部２５１ｄも、ガイド側壁部２３１ｂの長手方向に対応する方向に沿って長尺に形成されている。
【００６２】
ガイド側補強部２５１ｅは、レール用取付部２５１ｄの先端から垂下するとともに、ガイド側壁部２３１ｂの長手方向に対応する方向に沿って長尺に形成されている。
【００６３】
本実施形態に係る受枠２では、上述のように、アウターフレーム２３と外縁壁面Ｗ２及び設置面Ｗ３との間に基礎部が構成されているため、アウターフレーム２３が基礎部上に載置されるとともに、アンカー２４が基礎部内に埋設された状態となっている。そのため、アウターフレーム２３がアンカー２４によって基礎部上に引き留められ、さらに、インナーフレーム２５がアウターフレーム２３によって基礎部に対して繋ぎ止められている。
【００６４】
これにより、インナーフレーム２５の取付壁部２５０ｄは、アウターフレーム２３の基点側外辺部２３０で基礎部に繋ぎ止められた状態で、バランサ側リンク機構８が取り付けられているリンク用連結部ＣＡを保持している。
【００６５】
また、インナーフレーム２５のレール用取付部２５１ｄは、アウターフレーム２３のガイド側外辺部２３１に基礎部で繋ぎ止められた状態で、レール４や、レール４上のローラー５、ローラー５に連結されている蓋側リンク機構６を保持している。
【００６６】
さらに、連通開口Ｈ１を蓋３で閉じている状態においては、インナーフレーム２５の蓋受部２５１ｂが、アウターフレーム２３のガイド側外辺部２３１に基礎部で繋ぎ止められた状態で、蓋３（蓋３の後述する支持リブ３１）を受け止めることになる。
【００６７】
封止構造２１は、図２に示すように、インナーフレーム２５の外周を取り囲むように構成されている。より具体的に説明すると、封止構造２１は、基点側内辺部２５０の外側に取り付けられた基点側封止部２１０と、ガイド側内辺部２５１の外側に取り付けられたガイド側封止部２１１とを有する。
【００６８】
基点側封止部２１０は、図５に示すように、基点側内辺部２５０の外面に接続される基点側嵌込部２１０ａと、基点側内辺部２５０の外面と、弾性を有し且つ該基点側嵌込部２１０ａとの間に嵌め込まれる基点側シール部２１０ｂとを有する。
【００６９】
基点側嵌込部２１０ａは、基点側内辺部２５０の全長（長手方向における全長）に亘って延びるように形成されており、基点側内辺部２５０の外面と協働して上方に開放した溝を画定するように構成されている。
【００７０】
基点側シール部２１０ｂは、長尺であり、基点側内辺部２５０と基点側嵌込部２１０ａとで画定した溝の全長に亘って配置されている。また、基点側シール部２１０ｂは、蓋３で連通開口Ｈ１を閉じたときに、全長に亘って該蓋３に密接するように構成されている。
【００７１】
ガイド側封止部２１１は、図６に示すように、ガイド側内辺部２５１の外面に接続されるガイド側嵌込部２１１ａと、ガイド側内辺部２５１の外面と、弾性を有し且つ該ガイド側嵌込部２１１ａとの間に嵌め込まれるガイド側シール部２１１ｂとを有する。
【００７２】
ガイド側嵌込部２１１ａは、ガイド側内辺部２５１の全長（長手方向における全長）に亘って延びるように形成されており、ガイド側内辺部２５１の外面と協働して上方に開放した溝を画定するように構成されている。
【００７３】
ガイド側シール部２１１ｂは、長尺であり、ガイド側内辺部２５１とガイド側嵌込部２１１ａとで画定した溝の全長に亘って配置されている。蓋３で連通開口Ｈ１を閉じたときに、全長に亘って該蓋３に密接するように構成されている。
【００７４】
本実施形態に係る封止構造２１では、基点側嵌込部２１０ａとガイド側嵌込部２１１ａとが互いに連続することによって、インナーフレーム２５の外周全周を取り囲む環状溝を画定している。また、基点側シール部２１０ｂとガイド側シール部２１１ｂとが互いに連続することによって、前記環状溝に対応する環状のシール部材を構成している。
【００７５】
排水構造２２は、図２に示すように、インナーフレーム２５の外周を取り囲むように構成された排水用の溝である排水路２２０と、該排水路２２０内の水を外部に排出するための出水部２２１とを有する。
【００７６】
排水路は、基点側内辺部２５０の外側に位置する基点側排水路２２０ａと、ガイド側内辺部２５１の外側に位置するガイド側排水路２２０ｂとで構成されている。
【００７７】
なお、基点側排水路は、基点側外辺部２３０が画定する溝であり、ガイド側排水路２２０ａは、ガイド側外辺部２３１が画定する溝である。このように、本実施形態では、アウターフレーム２３によって排水構造２２が構成されている。
【００７８】
出水部２２１は、基点側排水路２２０ａ（本実施形態では、基点側外辺部２３０の基点側底部２３０ａ）に設けられている。
【００７９】
蓋３は、受枠２に対して回転可能に取り付けられている。より具体的に説明すると、蓋３は、図１及び図５に示すように、基端部３Ａが基点側外辺部２３０にヒンジＲを介して連結されており、基点側外辺部２３０の長手方向に沿う回動中心周りで先端部３Ｂが回動の先端として回動することで連通開口Ｈ１を開閉するように構成されている。なお、本実施形態では、連通開口Ｈ１を開いている状態を開状態、連通開口Ｈ１を閉じている状態を閉状態として以下の説明を行う。
【００８０】
本実施形態に係る蓋３は、図１及び図８に示すように、受枠本体２０上に載置される天板部３０と、該受枠本体２０上に天板部３０を支持すべく天板部３０の裏面側に設けられた支持リブ３１と、天板部３０を補強する補強リブ３２とを有する。
【００８１】
天板部３０には、インナーフレーム２５上に載置される開閉領域３００と、開閉領域３００がインナーフレーム２５上に載置された状態において、該インナーフレーム２５の外側に配置される被覆領域３０１とが含まれている。被覆領域３０１は、天板部３０の外周縁部に対応する部分である。
【００８２】
また、蓋３は、閉状態にすると、開閉領域３００がインナーフレーム２５上を覆い、被覆領域３０１がアウターフレーム２３上を覆うように構成されている。
【００８３】
本実施形態に係る天板部３０には、図２に示すように、蓋側リンク機構６を連結するための蓋側連結部ＣＢが設けられている。
【００８４】
蓋側連結部ＣＢは、蓋３の先端部３Ｂ側に配置されている。また、蓋側連結部ＣＢは、基端部３Ａと先端部３Ｂとが並ぶ方向に直交する方向（以下、幅方向という）で間隔をあけて並ぶ一対の接続片部ＣＢ１を有し、それぞれが天板部３０の裏面（開閉領域３００の裏面）から延出している。そして、一対の接続片部ＣＢ１には、前記幅方向で対応する位置に貫通孔が形成されている。
【００８５】
このように、蓋３は、裏面側に蓋側リンク機構６を連結するための蓋側連結部ＣＢを有する構成となっている。
【００８６】
さらに、本実施形態に係る天板部３０には、蓋３の開閉動作時に用いる治具を取り付ける治具用取付部３３が設けられている（図１参照）。
【００８７】
支持リブ３１は、図８に示すように、蓋３の基端部３Ａと先端部３Ｂとの間で真っ直ぐに延びている。また、本実施形態に係る蓋３では、天板部３０の裏面に対して一対の支持リブ３１が設けられている。一対の支持リブ３１は、蓋３が閉状態である場合に、それぞれが個別の蓋受部２５１ｂに当接するように構成されている。従って、支持リブ３１は、蓋３が閉状態である状態において、天板部３０を蓋受部２５１ｂ上で支持するように構成されている。
【００８８】
補強リブ３２は、前記幅方向で真っ直ぐに延びた形状である。また、本実施形態に係る天板部３０の裏面には、複数（四つ）の補強リブ３２が設けられており、各補強リブ３２が互いに平行な状態で間隔を空けて並んでいる。なお、複数の補強リブ３２のうち、最も蓋３の先端側に位置する補強リブ３２には、一対の切欠が形成されている。
【００８９】
レール４は、図６に示すように、レール用取付部２５１ｄ上に設けられている。また、レール４は、レール用取付部２５１ｄの先端上に配置されている。そのため、レール４と連設壁部２５１ｃとの間には隙間が形成されている。
【００９０】
ローラー５は、厚みを有する円形の部材で構成されており、厚み方向における中央部には、周方向の全周に亘って連続する凹部が形成されている。そして、ローラー５は、凹部内にレール４が嵌るように構成されている。
【００９１】
蓋側リンク機構６は、図９に示すように、ローラー５に連結される取付リンク６０と、該取付リンク６０と蓋３の裏面とに連結される支持リンク６１と、取付リンク６０とローラー５とを相対回転可能に連結するガイドジョイントＪ１と、取付リンク６０と支持リンク６１とを相対回転可能に連結する中間ジョイントＪ２とを備えている。
【００９２】
取付リンク６０は、ローラー５の外側（より具体的には、レール４と連設壁部２５１ｃとの間に対応する領域）に配置されている（図８参照）。
【００９３】
取付リンク６０は、ローラー５に対して相対回転可能に連結されるスライド端部６００と、支持リンク６１に連結される連結端部６０１とを有する。なお、取付リンク６０は、杆状であり、長手方向における一端部によってスライド端部６００が構成され、長手方向における他端部によって連結端部６０１が構成されている。
【００９４】
そして、取付リンク６０では、蓋３の開閉動作中において、スライド端部６００が常に連結端部６０１よりも連通開口Ｈ１の内側（レール４が延びる方向における連通開口Ｈ１の内側）に位置するように構成されている。
【００９５】
取付リンク６０は、蓋３の開動作中においては、連結端部６０１が外側に向かって引き上げられるに伴ってスライド端部６００がローラー５とともに蓋３の基端部３Ａ側に移動するため、取付リンク６０はスライド端部６００を基点として引き起こされる。
【００９６】
そして、蓋３の閉動作中においては、連結端部６０１が内側に向けて押し下げられるため、スライド端部６００がローラー５とともに蓋３の先端部３Ｂ側に移動するため、取付リンク６０はスライド端部６００を基点として倒される。
【００９７】
そのため、取付リンク６０は、蓋３が閉状態である場合、連通開口Ｈ１内で横たわる倒伏姿勢となり、蓋３が開状態である場合、連通開口Ｈ１内で起立した起立姿勢となるように構成されている。さらに、取付リンク６０は、起立姿勢であるときに、連結端部６０１がスライド端部６００よりも外方に位置するように傾斜した状態となるように構成されている。
【００９８】
支持リンク６１は、蓋３の裏面に連結される接続リンク６２と、該接続リンク６２と受枠２とに連結される中間リンク６３と、接続リンク６２と中間リンク６３とを相対回転可能に連結する支持ジョイントＪ３とを有する。
【００９９】
接続リンク６２は、杆状であり、蓋３の先端側に連結されている。より具体的に説明すると、接続リンク６２は、長手方向における一端部（以下、基端部という）６２０が蓋側連結部ＣＢに連結されている。本実施形態では、蓋側連結部ＣＢが各連結片部ＣＢ１の間に配置され、該蓋側連結部ＣＢと各連結片部ＣＢ１とに軸状の蓋側回転軸Ｐ１が挿通されている。
【０１００】
そのため、接続リンク６２は、蓋３に対しては、長手方向における他端部（以下、先端部という）６２１が基端部６２０側（蓋側回転軸Ｐ１の軸心）を中心とする円弧状の軌道に沿って回転するように構成されている。
【０１０１】
接続リンク６２の基端部６２０は、蓋３が閉状態である場合、先端部６２１よりも上方で且つ基端部３Ａ側に配置され、蓋３が開状態である場合、先端部６２１よりも上方で且つ蓋３の基端部３Ａ側に配置されるように構成されている。
【０１０２】
すなわち、接続リンク６２は、蓋３が閉状態である場合においては、基端部６２０側よりも先端部６２１側が下方に位置するように傾斜した姿勢となり、蓋３が開状態においては、基端部６２０側が先端部６２１側よりも上方で且つ外方（連通開口Ｈ１の外側）に位置するように傾斜した姿勢となる（図３参照）。
【０１０３】
中間リンク６３は、受枠２のリンク用連結部ＣＡに連結される支持連結端部６３０と、接続リンク６２の先端部６２１に相対回転可能に連結される先端連結部６３１とを有する。
【０１０４】
支持連結端部６３０は、リンク用連結部ＣＡに対して回転可能に連結されている。本実施形態では、支持連結端部６３０がリンク用連結部ＣＡにおける外側の連結片部ＣＡ１よりもさらに外方に配置されており、該支持連結端部６３０と、一対の連結片部ＣＡ１に軸状の枠側回転軸Ｐ２が挿通されている。
【０１０５】
そのため、中間リンク６３は、受枠２に対しては、先端連結部６３１が支持連結端部６３０（枠側回転軸Ｐ２の軸心）を中心とする円弧状の軌道に沿って回転するように構成されている。
【０１０６】
さらに、先端連結部６３１は、蓋３が閉状態である場合においては、支持連結端部６３０よりも上方に配置され、蓋３が開状態においては、支持連結端部６３０よりも内側（連通開口Ｈ１の内側）に配置されるように構成されている。
【０１０７】
すなわち、中間リンク６３は、蓋３が閉状態である場合においては、支持連結端部６３０側が先端連結部６３１側よりも上方に位置するように傾斜した姿勢となり、蓋３が開状態においては、支持連結端部６３０側が先端連結部６３１側よりも内側（連通開口Ｈ１の内側）に位置するように傾斜した姿勢となるように構成されている。
【０１０８】
また、中間リンク６３は、支持連結端部６３０と先端連結部６３１との間（すなわち、受枠２への連結位置と接続リンク６２への連結位置との間）に対して取付リンク６０の連結端部６０１が連結されている。
【０１０９】
蓋側リンク機構６においては、上述のように、蓋３の開閉動作中において、取付リンク６０のスライド端部６００が常に連結端部６０１よりも内側に位置するように構成されているため、取付リンク６０と中間リンク６３の先端連結部６３１側とは、蓋３が閉状態である場合は折り畳まれた状態となり、蓋３が開状態である場合は展開した状態となるように構成されている。
【０１１０】
ガイドジョイントＪ１は、軸状に形成されている。そして、スライド端部６００及びローラー５の挿通孔には、ガイドジョイントＪ１が挿通されている。これにより、蓋側リンク機構６は、取付リンク６０とローラー５とが同軸回りで相対回転可能となるように構成されている。
【０１１１】
中間ジョイントＪ２は、軸状に形成されており、取付リンク６０のスライド端部６００と、中間リンク６３における支持連結端部６３０と先端連結部６３１との間の部分とに挿通されている。これにより、蓋側リンク機構６は、取付リンク６０と中間リンク６３とが同軸回りで相対回転可能となるように構成されている。
【０１１２】
バランサ側リンク機構８は、前記ローラー５と前記バランサ７とに連結される保持リンク８０と、前記ローラー５と前記バランサ７との間で該保持リンク８０に連結されるとともに、前記受枠２に連結されるアームリンク８１と、保持リンク８０とアームリンク８１とを相対回転可能に連結する引留ジョイントＪ４とを備える。
【０１１３】
保持リンク８０は、ローラー５の内側に配置されている。すなわち、保持リンク８０は、ローラー５を介して取付リンク６０と並ぶように配置されている（図８参照）。
【０１１４】
保持リンク８０は、ローラー５に対して相対回転可能に連結される被案内端部８００と、バランサ７が取り付けらレール被取付端部８０１とを有する。なお、保持リンク８０は、杆状であり、長手方向における一端部によって被案内端部８００が構成され、長手方向における他端部によってレール被取付端部８０１が構成されている。
【０１１５】
被案内端部８００には、スライド端部６００、ローラー５とともにガイドジョイントＪ１が挿通されている。そのため、保持リンク８０と、取付リンク６０とは、同軸回りで相対回転可能となるように構成されている。
【０１１６】
保持リンク８０では、蓋３の開閉動作中において、被案内端部８００が常にレール被取付端部８０１よりも内側に位置するように構成されている。
【０１１７】
より具体的に説明すると、蓋３の開動作中においては、被案内端部８００が外側に引っ張られるに伴ってレール被取付端部８０１が該被案内端部８００に押されて外側に移動した後に下方に移動するため、保持リンク８０は、連通開口Ｈ１内で起きた姿勢となる。
【０１１８】
そして、蓋３の閉動作中においては、被案内端部８００が内側に向けて引っ張られるに伴ってレール被取付端部８０１が引き上げられた後に、連通開口Ｈ１の内側に向けて引っ張られるため、保持リンク８０が連通開口Ｈ１内で横たわった姿勢となる。
【０１１９】
また、保持リンク８０は、蓋３が閉状態である場合、連通開口Ｈ１内で横たわる倒伏姿勢となり、蓋３が開状態である場合、連通開口Ｈ１内で起立した起立姿勢となるように構成されている。さらに、取付リンク６０は、起立姿勢であるときに、被案内端部８００がレール被取付端部８０１よりも内側に位置するように傾斜した状態となるように構成されている。
【０１２０】
アームリンク８１は、受枠２のリンク用連結部ＣＡに連結される支点連結端部８１０と、保持リンク８０における被案内端部８００とレール被取付端部８０１との間に連結される引留連結端部８１１とを有する。
【０１２１】
支点連結端部８１０は、リンク用連結部ＣＡに対して回転可能に連結されている。本実施形態では、支点連結端部８１０が一対の連結片部ＣＡ１の間に配置されており、中間リンク６３の支持連結端部６３０と一対の連結片部ＣＡ１とともに、枠側回転軸Ｐ２が挿通されている。
【０１２２】
そのため、アームリンク８１は、受枠２に対しては、引留連結端部８１１が支点連結端部８１０（枠側回転軸Ｐ２の軸心）を中心とする円弧状の軌道に沿って回転するように構成されている。
【０１２３】
上述のように、引留連結端部８１１が保持リンク８０における被案内端部８００とレール被取付端部８０１との間に連結されているため、蓋３の開動作時においては、引留連結端部８１１によって保持リンク８０のレール被取付端部８０１を押し下げ、蓋３の閉動作時においては、引留連結端部８１１によって保持リンク８０のレール被取付端部８０１を引き上げるように構成されている。
【０１２４】
さらに、取付リンク６０と中間リンク６３の先端連結部６３１側とは、蓋３が閉状態である場合は折り畳まれた状態となり、蓋３が開状態である場合は展開した状態となるように構成されることとなる。
【０１２５】
引留ジョイントＪ４は、軸状に形成されており、引留連結端部８１１と保持リンク８０における被案内端部８００とレール被取付端部８０１との間に挿通されている。これにより、バランサ側リンク機構８は、保持リンク８０とアームリンク８１とが同軸回りで相対回転可能となるように構成されている。
【０１２６】
バランサ７は、金属製であり厚みのある板状の錘部材７０を有する。本実施形態では、三つの錘部材７０が保持リンク８０の長手方向に沿って並べて配置された状態で被案内端部８００に取り付けられている。なお、バランサ７は、単一の錘部材７０を有するようにしてもよいし、錘部材７０同士を厚み方向に重ねた状態で被案内端部８００に取り付けてもよい。
【０１２７】
錘部材７０では、厚み方向における一方の面が被案内端部８００に当接し、他方の面が連通開口Ｈ１内に向けて配置されている。
【０１２８】
本実施形態に係る開閉構造１は、以上の構成である。続いて、開閉構造１の使用方法について説明する。
【０１２９】
開閉構造１は、平常時は、図３に示すように、蓋３が閉状態になっており、床下の設備の点検や保守、床下への物資の搬入や搬出等を行う際に蓋３を開く。
【０１３０】
蓋３を開く場合、治具用取付部３４に治具を取り付けた後に、図７に示すように、該治具を用いて蓋３の先端部３Ｂを引き上げる。このようにすると、蓋３とともに、接続リンク６２及び中間リンク６３の先端連結部６３１側が持ち上げられる。
【０１３１】
そして、中間リンク６３が支持連結端部６３０を基点として引き起こされると、連結端部６０１が連通開口Ｈ１の外側に向かって引き上げられるに伴って、スライド端部６００がローラー５とともに蓋３の基端部３Ａ側に移動する。これにより、取付リンク６０がスライド端部６００を基点として引き起こされる。
【０１３２】
また、スライド端部６００がローラー５とともに外側に移動すると、被案内端部８００も外側に引っ張られる。保持リンク８０は、被案内端部８００が外側にスライドする際に、アームリンク８１の引留連結端部８１１によってレール被取付端部８０１が下方に誘導される。すなわち、保持リンク８０は、レール４に沿って蓋３の基端部３Ａ側へ移動しながらローラー５との連結部分を中心として蓋３からバランサ７が離れる方向に回動する。これにより、図８及び図９に示すように、蓋３が完全に開かれた状態となる。
【０１３３】
蓋３を閉じる場合は、治具を用いて蓋３の先端部３Ｂを押し下げる。このようにすると、蓋３とともに、接続リンク６２及び中間リンク６３の先端連結部６３１側が連通開口Ｈ１の中央部側に向けて押し下げられる。
【０１３４】
これに伴い、中間リンク６３が支持連結端部６３０を基点として傾倒すると、連結端部６０１が蓋３の基端部３Ａから離れる方向に向けて押される。これに伴い、スライド端部６００とローラー５とがレール４に沿って蓋３の基端部３Ａから離れる方向にスライドするため、取付リンク６０全体が倒伏しながら蓋３の基端部３Ａから離れる方向に移動する。
【０１３５】
また、ローラー５が蓋３の基端部３Ａから離れる方向にスライドすると、保持リンク８０の被案内端部８００がローラー５とともに蓋３の基端部３Ａから離れる方向に移動する。これにより、保持リンク８０の被案内端部８００がレール被取付端部８０１よりも先行して蓋３の基端部３Ａから離れる方向にスライドし、さらに、レール被取付端部８０１が引留連結端部８１１によって引き上げられる。
【０１３６】
従って、蓋３の連通開口Ｈ１を閉じる回動動作に伴って、保持リンク８０がレール４に沿って蓋３の先端部３Ｂ側（蓋３の基端部３Ａから離れる方向）に移動しながらローラー５との連結部分を中心として蓋３にバランサ７が接近する方向で回動する。これにより、図３に示すように、蓋３が完全に閉じた状態となる。
【０１３７】
以上のように、本実施形態に係る開閉構造１は、蓋３の開閉動作に伴って、バランサ７が実質的に蓋３の基端部３Ａ側で蓋３に対して接近離間する。すなわち、開閉構造１は、バランサ７が床の連通開口Ｈ１の外側で大きく上下動するように構成されているため、床下のスペース（閉状態の蓋３の先端部３Ｂ側を使用することができる。従って、開閉構造１は、床下のスペースを有効活用することができる。
【０１３８】
また、開閉構造１では、蓋３を開閉している状態において、保持リンク８０が鉛直方向に対して交差する方向に傾斜した姿勢となるため、保持リンク８０がローラー５との連結位置を基点としてバランサ７を保持した状態となる。
【０１３９】
このような状態になると、保持リンク８０のローラー５との連結位置がバランサ７の重みによって上方に押し上げられた状態となり、ローラー５と該ローラー５に連結されている取付リンク６０とが保持リンク８０によって上方に押し上げられた状態となる。
【０１４０】
しかし、本実施形態に係る開閉構造１では、取付リンク６０が受枠２と蓋３の裏面に取り付けられた接続リンク６２とに連結される中間リンク６３を押し上げることになるため、蓋３は、バランサ７の重みの影響による開方向に押し上げられる力を受け難くなる。
【０１４１】
従って、本実施形態に係る開閉構造１では、バランサ７の重みによって蓋３に対して開方向に作用する外力が抑えられ、これにより、蓋３の受枠２への連結部分に生じる負荷が抑えられる。
【０１４２】
さらに、本実施形態に係る開閉構造１は、蓋３が閉状態の場合に、接続リンク６２の蓋３との連結位置が中間リンク６３との連結位置よりも上方に配置されるため、閉状態の蓋３を開き始める際に接続リンク６２が起き上がり易くなる。
【０１４３】
また、本実施形態に係る開閉構造１では、蓋３が閉状態の場合において、中間リンク６３の先端連結部６３１が支持連結端部６３０よりも上方に配置されているため、閉状態の蓋３を開き始める際に接続リンク６２と中間リンク６３とが展開し易くなる。
【０１４４】
従って、上記構成の開閉構造１では、蓋３の開動作を円滑に行うことができるようになる。
【０１４５】
さらに、本実施形態に係る開閉構造１では、蓋３が開状態である場合に、接続リンク６２の基端部６２０が先端部６２１よりも前方（連通開口Ｈ１の中央部側）に配置されるため、蓋３を閉じ始める際に、接続リンク６２が基端部６２０を基点として傾倒し易くなる。
【０１４６】
また、蓋３が開状態である場合、取付リンク６０は、スライド端部６００が連結端部６０１よりも前方に位置するように傾斜している。そのため、本実施形態に係る開閉構造１では、蓋３を閉じ始める際に、スライド端部６００がスライドし易くなる。
【０１４７】
従って、上記構成の開閉構造１では、蓋３の閉動作も円滑に行うことができるようになる。
【０１４８】
このように、本実施形態に係る開閉構造１では、開閉動作時の各リンクの回転動作に合わせて蓋３が開状態である場合の各リンクの姿勢と、蓋３が閉状態である場合の各リンクの姿勢とを設定することによって、蓋３の開閉動作を円滑に行えるようにしている。
【０１４９】
本実施形態に係る開閉構造１では、インナーフレーム２５が設置用凹部Ｈ２内に配置され、さらに、該インナーフレーム２５がアンカー２４によって設置用凹部Ｈ２内に固定されているため、インナーフレーム２５とアンカー２４とによって受枠２全体が床に対して強固に固定される。
【０１５０】
さらに、開閉構造１では、インナーフレーム２５がアウターフレーム２３に接続された状態で連通開口Ｈ１内に配置されているため、取付壁部２５０ｄに設けられているリンク用連結部ＣＡや、レール用取付部２５１ｄに設けられているレール４も、床に対して強固に固定される。
【０１５１】
本実施形態に係る開閉構造１は、基点側内壁部２５０ａ及びガイド側内壁部２５１ａの外側に設けた止水構造と、排水構造２２とによって、連通開口Ｈ１内への浸水を効果的に抑制できるように構成されている。
【０１５２】
より具体的に説明すると、開閉構造１は、開口壁面Ｗ１に対応して基点側内壁部２５０ａと、ガイド側内壁部２５１ａとが配置され、さらに、閉状態の蓋３の外縁部が基点側内壁部２５０ａ及びガイド側内壁部２５１ａの外側に配置されるように構成されている。
【０１５３】
そのため、蓋３が閉じられると、該蓋３の裏面が基点側内壁部２５０ａの上端及びガイド側内壁部２５１ａの上端に近接し、基点側内壁部２５０ａ及びガイド側内壁部２５１ａを境とする内側の領域と外側の領域とが仕切られた状態となる。
【０１５４】
基点側内壁部２５０ａ及びガイド側内壁部２５１ａの外側には、環状のシール部材が配置されているため、蓋３が閉じられると、該蓋３の裏面とシール部材とが協働して内壁部の内側への浸水を防止する。
【０１５５】
また、基点側内壁部２５０ａ及びガイド側内壁部２５１ａの外側で且つ設置用凹部Ｈ２に対応する位置には、環状の溝である排水路が設けられているため、内壁部の内側に向かって流れる水をシール部材の外側で排水することもできる。
【０１５６】
このように、本実施形態に係る開閉構造１では、基点側内壁部２５０ａ及びガイド側内壁部２５１ａを境とする外側で止水と排水とが行われるため、連通開口Ｈ１内への浸水が効果的に抑制される。
【０１５７】
なお、本実施形態に係る開閉構造１は、上記一実施形態に限定されるものではなく、本発明の要旨を逸脱しない範囲において種々変更を行うことは勿論である。
【０１５８】
上記実施形態の受枠本体２０では、リンク用連結部ＣＡが基点側内辺部２５０の基点側取付部２５０ｂに設けられていたが、例えば、ガイド側内辺部２５１の連設壁部２５１ｃに設けられていてもよい。すなわち、受枠本体２０は、インナーフレーム２５にバランサ側リンク機構８を取り付けるためのリンク用連結部ＣＡを有する構成となっていればよい。
【０１５９】
上記実施形態の受枠本体２０では、ストッパーＳが基点側内辺部２５０の基点側取付部２５０ｂに設けられていたが、例えば、ガイド側内辺部２５１の連設壁部２５１ｃに設けられていてもよい。すなわち、受枠本体２０は、バランサ側リンク機構８の浮き上がりを防止するストッパーＳを有する構成となっていればよい。
【０１６０】
上記実施形態において、蓋３は、アウターフレーム２３に対してヒンジＲを介して取り付けられていたが、この構成に限定されない。例えば、蓋３は、床における連通開口Ｈ１の画定する面に直接的に取り付けられていてもよい。すなわち、蓋３は、基端部３Ａが床の連通開口Ｈ１を形成する所定の縁部に対して直接的又は間接的に取り付けられていればよい。
【０１６１】
上記実施形態において、開閉構造１は、一つの受枠２に対して一対の蓋３を備えていたが、例えば、一つの受枠２に対して一つの蓋３を備えるようにしてもよい。
【０１６２】
上記実施形態において、蓋３は、アウターフレーム２３の基点側外辺部２３０にヒンジＲを介して取り付けられていたが、この構成に限定されない。例えば、蓋３は、アウターフレーム２３のガイド側外辺部２３１にヒンジＲを介して取り付けられていてもよい。この場合、レール４は、ガイド側外辺部２３１の長手方向に直交する方向に沿って延びるように設置されていればよい。
【０１６３】
上記実施形態において、レール４は、基点側内辺部２５０のレール用取付部２５１ｄに取り付けられていたが、この構成に限定されない。例えば、レール４は、ガイド側内辺部２５１に設置されていてもよい。この場合、蓋３は、基端部３Ａがガイド側外辺部２３１にヒンジＲを介して連結されていればよい。
【０１６４】
上記実施形態において、取付リンク６０は、支持リンク６１を介して蓋３に取り付けられていたが、この構成に限定されない。例えば、取付リンク６０は、図１０に示すように、蓋３に対して直接的に取り付けられていてもよい。
【０１６５】
上記実施形態において、取付リンク６０は、ローラー５に直接的に連結されていたが、この構成に限定されない。例えば、取付リンク６０は、図１０に示すように、保持リンク８０を介してローラー５に取り付けられていてもよい。
【０１６６】
すなわち、取付リンク６０は、ローラー５に対して直接的又は間接的に取り付けられていればよい。
【符号の説明】
【０１６７】
１…開閉構造、２…受枠、３…蓋、３Ａ…基端部、３Ｂ…先端部、４…レール、５…ローラー、６…蓋側リンク機構、７…バランサ、８…バランサ側リンク機構、２０…受枠本体、２１…封止構造、２２…排水構造、２３…アウターフレーム、２４…アンカー、２５…インナーフレーム、３０…天板部、３１…支持リブ、３２…補強リブ、３３…治具用取付部、６０…取付リンク、６１…支持リンク、６２…接続リンク、６３…中間リンク、７０…錘部材、８０…保持リンク、８１…アームリンク、２１０…基点側封止部、２１０ａ…基点側嵌込部、２１０ｂ…基点側シール部、２１１…ガイド側封止部、２１１ａ…ガイド側嵌込部、２１１ｂ…ガイド側シール部、２２０…排水路、２２０ａ…基点側排水路、２２０ｂ…ガイド側排水路、２２１…出水部、２３０…基点側外辺部、２３０ａ…基点側底部、２３０ｂ…基点側壁部、２３１…ガイド側外辺部、２３１ａ…ガイド側底部、２３１ｂ…ガイド側壁部、２４０…基点側アンカー、２４０ａ…固定辺、２４０ｂ…延出辺、２４１…ガイド側アンカー、２４１ａ…固定辺、２４１ｂ…延出辺、２５０…基点側内辺部、２５０ａ…基点側内壁部、２５０ｂ…基点側取付部、２５０ｃ…基点側補強部、２５０ｄ…取付壁部、２５０ｅ…台部、２５１…ガイド側内辺部、２５１ａ…ガイド側内壁部、２５１ｂ…蓋受部、２５１ｃ…連設壁部、２５１ｄ…レール用取付部、２５１ｅ…ガイド側補強部、３００…開閉領域、３０１…被覆領域、６００…スライド端部、６０１…連結端部、６３０…支持連結端部、６３１…先端連結部、８００…被案内端部、８０１…レール被取付端部、８１０…支点連結端部、８１１…引留連結端部、ＣＡ…リンク用連結部、ＣＡ１…連結片部、ＣＢ…蓋側連結部、ＣＢ１…接続片部、Ｈ１…連通開口、Ｈ２…設置用凹部、Ｊ１…ガイドジョイント、Ｊ２…中間ジョイント、Ｊ３…支持ジョイント、Ｊ４…引留ジョイント、Ｐ１…蓋側回転軸、Ｐ２…枠側回転軸、Ｒ…ヒンジ、Ｓ…ストッパー、Ｗ１…開口壁面、Ｗ２…外縁壁面、Ｗ３…設置面
【図１】
0006708880.tif 000002
【図２】
0006708880.tif 000003
【図３】
0006708880.tif 000004
【図４】
0006708880.tif 000005
【図５】
0006708880.tif 000006
【図６】
0006708880.tif 000007
【図７】
0006708880.tif 000008
【図８】
0006708880.tif 000009
【図９】
0006708880.tif 000010
【図１０】
0006708880.tif 000011